(57)【特許請求の範囲】
【請求項１】
建築躯体から吊り下げられたチャンネル、このチャンネルの下部で支持される天井板、この天井板を支持する天井支持バー、同天井板の長手方向の側面部に取り付けられる天井板取付バー、および、この天井板取付バーと同天井板とを止める天井板止め具を設けた天井構造において、上記天井支持バーの下端部分を上記天井板を直に載置する下部水平片となして、この下部水平片に上記天井板止め具の下端部分で水平方向に設けた下部係合部が嵌合するとともに、同天井支持バーの略中央部に中央係合片を設けて、この中央係合片が同天井板止め具の上部で突出する上部係合部に引っ掛かってなることを特徴とする天井構造。
【請求項２】
上記天井板止め具が、上記天井板取付バーに対してスライド自在に取りつけられるものであることを特徴とする請求項１記載の天井構造。
【請求項３】
上記下部水平片が、上記下部係合部が嵌合しやすいように折り返されて２重に形成されているものであることを特徴とする請求項１または請求項２記載の天井構造。
【請求項４】
上記天井板止め具を上記天井支持バーに対して平行移動させ、上記天井板取付バーの部位で弾性変形させて、同天井板取付バーに嵌合させてなることを特徴とする請求項１ないし請求項３いずれか記載の天井構造。
【請求項５】
上記下部係合部を弾性変形させながら、同下部係合部が上記下部水平片に嵌合してなることを特徴とする請求項１ないし請求項４いずれか記載の天井構造。
【請求項６】
上記下部水平片と上記中央係合片との間で、上記天井板が載置されている側とは反対側に空間部分を形成していることを特徴とする請求項１ないし請求項５いずれか記載の天井構造。
【請求項７】
上記中央係合片が、折り返されて２重に形成されているものであることを特徴とする請求項１ないし請求項６いずれか記載の天井構造。
【請求項８】
上記天井支持バーの下端付近側面が、同天井支持バーどうしの間に設けられる照明器具の反射板の役割を果たす下部傾斜板であることを特徴とする請求項１ないし請求項７いずれか記載の天井構造。
【請求項９】
上記中央係合片よりも上記天井支持バーの下端部側に上記下部傾斜板があり、同中央係合片と同下部傾斜板との間に水平部を設けたことを特徴とする請求項８記載の天井構造。
【請求項１０】
上記下部係合部の近傍に上記天井板止め具の本体部分からアールをもって曲折しているアール部を設けたことを特徴とする請求項１ないし請求項９いずれか記載の天井構造。
【発明の詳細な説明】
【０００１】
【発明の属する技術分野】
本発明は、天井構造に関し、具体的には、建物の室内の天井などに利用されるのに有用な天井構造に関するものである。
【０００２】
【従来の技術】
従来の天井構造としては、例えば、図１０に示すごとく、天井板（２）を支持する支持バー体（１３）があって、同天井板（２）の長手方向の側面部に取り付けられる断面略Ｈ字型の天井板取付バー（７）を設けるとともに、この天井板取付バー（７）と同天井板（２）とを止める天井板止め具体（１５）を設けていたものが知られており、上記支持バー体（１３）の下端部分を上記天井板（２）を直に載置する下部片（１３１）となし、同支持バー体（１３）の上端部分を上記天井板止め具体（１５）の一端部（１５１）を直に係止させる上部片（１３２）となしていたものであった。
【０００３】
しかも、上記天井板止め具体（１５）の他端部（１５２）は、同図１０に示すごとく、上記天井板取付バー（７）が嵌合するような工夫がなされていてもかまわないものであった。
【０００４】
【発明が解決しようとする課題】
しかしながら、このような天井構造においては、支持バー体（１３）としては、その上端部分の上部片（１３２）を天井板止め具体（１５）の一端部（１５１）に直に係止させているだけであったので、支持バー体（１３）と天井板止め具体（１５）とは互いにずれ動きやすいものであった。その結果、天井板（２）の取り付けの際に、支持バー体（１３）と天井板止め具体（１５）とは互いにずれ動きやすいために、現場での施工としては行いがたいものである上に、天井板（２）の取り付け後としても、天井板（２）の取り付け強度が充分ではないものであった。そして、同天井板（２）の取り付け後、天井板（２）とこの天井板（２）の長手方向の側面部に取り付けられる断面略Ｈ字型の天井板取付バー（７）とは容易に浮き上がって、ずれが生じやすいものであり、支持バー体（１３）の変形の原因となったり、間仕切り壁を取り付けたりする際にも取り付けがたいものとなっていた。
【０００５】
本発明は、上述の事実に鑑みてなされたものであって、その目的とするところは、天井板の取り付け施工を簡単に行うことができるとともに、取り付け後の強度を充分に確保することができる天井構造を提供することにある。
【０００６】
【課題を解決するための手段】
本発明の請求項１に係る天井構造は、建築躯体から吊り下げられたチャンネル（１）、このチャンネル（１）の下部で支持される天井板（２）、この天井板（２）を支持する天井支持バー（３）、同天井板（２）の長手方向の側面部に取り付けられる天井板取付バー（７）、および、この天井板取付バー（７）と同天井板（２）とを止める天井板止め具（５）を設けた天井構造において、上記天井支持バー（３）の下端部分を上記天井板（２）を直に載置する下部水平片（３１）となして、この下部水平片（３１）に上記天井板止め具（５）の下端部分で水平方向に設けた下部係合部（５１）が嵌合するとともに、同天井支持バー（３）の略中央部に中央係合片（３４）を設けて、この中央係合片（３４）が同天井板止め具（５）の上部で突出する上部係合部（５４）に引っ掛かってなることを特徴とする。
【０００７】
本発明の請求項２に係る天井構造は、上記天井板止め具（５）が、上記天井板取付バー（７）に対してスライド自在に取りつけられるものであることを特徴とする。
【０００８】
本発明の請求項３に係る天井構造は、上記下部水平片（３１）が、上記下部係合部（５１）が嵌合しやすいように折り返されて２重に形成されているものであることを特徴とする。
【０００９】
本発明の請求項４に係る天井構造は、上記天井板止め具（５）を上記天井支持バー（３）に対して平行移動させ、上記天井板取付バー（７）の部位で弾性変形させて、同天井板取付バー（７）に嵌合させてなることを特徴とする。
【００１０】
本発明の請求項５に係る天井構造は、上記下部係合部（５１）を弾性変形させながら、同下部係合部（５１）が上記下部水平片（３１）に嵌合してなることを特徴とする。
【００１１】
本発明の請求項６に係る天井構造は、上記下部水平片（３１）と上記中央係合片（３４）との間で、上記天井板（２）が載置されている側とは反対側に空間部分（１２）を形成していることを特徴とする。
【００１２】
本発明の請求項７に係る天井構造は、上記中央係合片（３４）が、折り返されて２重に形成されているものであることを特徴とする。
【００１３】
本発明の請求項８に係る天井構造は、上記天井支持バー（３）の下端付近側面が、同天井支持バー（３）どうしの間に設けられる照明器具（６）の反射板の役割を果たす下部傾斜板（３２）であることを特徴とする。
【００１４】
本発明の請求項９に係る天井構造は、上記中央係合片（３４）よりも上記天井支持バー（３）の下端部側に上記下部傾斜板（３２）があり、同中央係合片（３４）と同下部傾斜板（３２）との間に水平部（３３）を設けたことを特徴とする。
【００１５】
本発明の請求項１０に係る天井構造は、上記下部係合部（５１）の近傍に上記天井板止め具（５）の本体部分（５３）からアールをもって曲折しているアール部（５２）を設けたことを特徴とする。
【００１６】
【発明の実施の形態】
以下、本発明を実施形態に係る図面に基づいて詳しく説明する。
【００１７】
図１は、本発明の一実施形態に係る天井構造を示した断面図である。図２は、本発明の天井構造に用いられる一実施形態に係る天井板止め具を示した（ａ）正面図、（ｂ）側面図である。図３は、本発明の天井構造に用いられる一実施形態に係る天井板と天井板取付バーとを組み合わせた際の様子を示した断面図である。図４は、本発明の天井構造に用いられる一実施形態に係る天井支持バーを示した断面図である。図５は、本発明の天井構造に用いられる一実施形態に係る天井板止め具の天井支持バーへの取り付けの手順を示した断面図である。図６は、本発明の天井構造に用いられる一実施形態に係る天井板止め具を天井板取付バーに取り付ける際の様子を示した断面図である。図７は、本発明の天井構造に用いられる一実施形態に係る天井板止め具を天井板取付バーに取り付けた後の様子を示した斜視図である。図８の（ａ）は、本発明の天井構造に用いられる他の一実施形態に係る天井板止め具を示した断面図であり、図８の（ｂ）は、本発明の天井構造に用いられる他の一実施形態に係る天井板取付バーを示した斜視図である。図９は、本発明の天井構造に用いられる他の一実施形態に係る天井板止め具と天井支持バーと天井板取付バーとを組み合わせた際の様子を示した断面図である。
【００１８】
本発明の天井構造は、図１ないし図９に示すごとく、建築躯体から吊り下げられたチャンネル（１）、このチャンネル（１）の下部で支持される天井板（２）、この天井板（２）を支持する天井支持バー（３）、同天井板（２）の長手方向の側面部に取り付けられる天井板取付バー（７）、および、この天井板取付バー（７）と同天井板（２）とを止める天井板止め具（５）を設けた天井構造において、上記天井支持バー（３）の下端部分を上記天井板（２）を直に載置する下部水平片（３１）となして、この下部水平片（３１）に上記天井板止め具（５）の下端部分で水平方向に設けた下部係合部（５１）が嵌合するとともに、同天井支持バー（３）の略中央部に中央係合片（３４）を設けて、この中央係合片（３４）が同天井板止め具（５）の上部で突出する上部係合部（５４）に引っ掛かってなっているものである。
【００１９】
上記チャンネル（１）は、図１に示すごとく、住宅やビルといった建築躯体の天井などから吊り下げられているものである。このチャンネル（１）としては、例えば、断面略Ｃ字型のものであるが、建築躯体から吊り下げられるものであれば、その他の形状のものが使用されたとしても、かまわないものである。このチャンネル（１）に跨って、例えば、ハンガー（４）が取り付けられるものである。そして、このハンガー（４）は、ビス（１１）などによりチャンネル（１）に直に取り付けられるような工夫がなされていてもかまわないものである。また、このハンガー（４）の一部に引掛部（４１）を設けて、この引掛部（４１）に天井支持バー（３）の一部、すなわち、同天井支持バー（３）の上端部に形成された上部係合片（３７）が引っ掛かるような工夫がなされていてもかまわないものである。
【００２０】
上記天井板（２）は、図１および図７に示すごとく、上記チャンネル（１）の下部で支持されているものである。この天井板（２）としては、合板などの木製のものであってもかまわないし、その他、場合によっては、樹脂製のものなどが採用されてもかまわないものである。
【００２１】
上記天井支持バー（３）は、図１、図６および図７に示すごとく、上記天井板（２）を支持するものであり、上記チャンネル（１）の下部に設けられているものである。この天井支持バー（３）は、例えば、上記ハンガー（４）で吊り下げられるようにして取り付けられるものである。この天井支持バー（３）は、２本で対をなして向かい合わせるようにして平行に吊り下げられているものである。そして、この天井支持バー（３）を上記チャンネル（１）に引きつけられた上で接触して固定されるように上記上部係合片（３７）の近傍に上部水平片（３６）を設けていると、同天井支持バー（３）は、上記チャンネル（１）に引きつけて簡単、かつ、確実に固定することができるものである。
【００２２】
ところで、図１、図４ないし図７、図９に示すごとく、上記上部水平片（３６）と上記中央係合片（３４）との間に上記ハンガー（４）に接触する垂直部（３５）を設けているものであると、上部水平片（３６）と中央係合片（３４）との間に設けている垂直部（３５）の存在により、天井支持バー（３）としてはハンガー（４）に接触して固定させることができるものとなり、ハンガー（４）に密着した状態で取り付け施工を完結させることができて、結果として、天井支持バー（３）の取り付け施工後の状態をより一層確実に安定させることができて、好ましいものである。
【００２３】
さらに、図１に示すごとく、上記天井支持バー（３）どうしの間に照明器具（６）を取りつけるとともに、同天井支持バー（３）の照明器具（６）側とは反対側に天井板（２）を載置しているものである。すなわち、この天井支持バー（３）により、照明器具（６）が取り付けられる側と天井板（２）を載置している側とに分けられているものである。
【００２４】
上記天井板取付バー（７）は、図１、図３、図６および図７に示すごとく、上記天井板（２）の長手方向の側面部に取り付けられているものである。そして、この天井板取付バー（７）は、図３および図７に示すごとく、上記天井板（２）の長手方向の側面部に溝部（８）を設けて、この溝部（８）に嵌め込まれるようにして取り付けられているものである。このように溝部（８）を設けて、この溝部（８）に天井板取付バー（７）を嵌め込むような場合は、天井板（２）どうしの連結が容易な上に、天井板（２）のたわみとしても、確実に防止されるものである。
【００２５】
上記天井板取付バー（７）としては、同図に示すごとき断面略Ｈ字型のものが一般に採用されているものであるが、その他にも、例えば、図８の（ｂ）および図９に示すごとく、円筒部（１０１）を有するような三角形状取付バー（１０）が採用されていてもかまわないものである。
【００２６】
上記三角形状取付バー（１０）を天井板取付バー（７）として採用する場合、上記天井板止め具（５）としては、図８の（ａ）および図９に示すごとく、バネ性を有している線材天井板止め具（９）が採用されて、この線材天井板止め具（９）の折り返された上先端部（９４）が、上記三角形状取付バー（１０）の円筒部（１０１）に差し込まれることで、同円筒部（１０１）内が圧接されて止められるようになっているものである。
【００２７】
また、上記線材天井板止め具（９）の本体部（９２）の一部に凹部分（９３）を設けていることで、この凹部分（９３）に中央係合片（３４）が載置されるような工夫がなされていてもかまわないものである。そして、線材天井板止め具（９）の下端曲がり部（９１）が、上記天井支持バー（３）の下端部分で天井板（２）を直に載置する下部水平片（３１）に嵌合されているような工夫もなされていてもかまわないものである。この図８および図９に示すような天井板止め具（５）や天井板取付バー（７）は、３次元に弾性変形させることができる点で、現場での施工性などにおいて好ましいものである。
【００２８】
上記天井板止め具（５）は、図１および図２、図５ないし図７に示すごとく、上記天井板取付バー（７）と上記天井板（２）とを止めるものである。この天井板止め具（５）の形状は、図２の（ａ）および（ｂ）に示すごときものであるが、その他にも、上記天井板取付バー（７）と上記天井板（２）とを止めることができるものであれば、特に制限されるものではないものである。さらに、同図に示すごとく、上記天井板止め具（５）の上部から水平に延設されている水平部分（５５）の先端に上記天井板取付バー（７）が嵌合する嵌合部（５６）を設けているような工夫がなされていてもかまわないものである。
【００２９】
本発明では、図１、図５ないし図７に示すごとく、上記天井支持バー（３）の下端部分を上記天井板（２）を直に載置する下部水平片（３１）となしているものであり、この下部水平片（３１）に上記天井板止め具（５）の下端部分で水平方向に設けた下部係合部（５１）が嵌合しているものである。この下部水平片（３１）は、上記天井支持バー（３）の一部であることは、言うまでもないことである。そして、同図に示すごとく、上記天井支持バー（３）の略中央部に中央係合片（３４）を設けているものであり、この中央係合片（３４）が上記天井板止め具（５）の上部で突出する上部係合部（５４）に引っ掛かってなっているものである。
【００３０】
本発明は、このような構成をとることによって、天井板（２）を支持する天井支持バー（３）の下端部分を同天井板（２）を直に載置する下部水平片（３１）となしていて、この下部水平片（３１）に天井板止め具（５）の下端部分で水平方向に設けた下部係合部（５１）が嵌合している点と天井支持バー（３）の略中央部に中央係合片（３４）を設けて、この中央係合片（３４）が同天井板止め具（５）の上部で突出する上部係合部（５４）に引っ掛かっている点との必要最小限の２点により、天井支持バー（３）と天井板止め具（５）とは互いに規制されて、ずれ動きがたいものとしており、しかも、天井支持バー（３）と天井板止め具（５）とはその他の箇所においては、互いに自由な状態であるので、天井板（２）の取り付けの際、現場での施工としては行いやすいものである。また、天井板（２）の取り付け後としても、天井板（２）の取り付け強度が充分に確保されており、同天井板（２）の取り付け後、天井板（２）とこの天井板（２）の長手方向の側面部に取り付けられる天井板取付バー（７）とは容易に浮き上がることはなくて、ずれが生じにくいものであり、天井支持バー（３）の変形の原因は排除されており、間仕切り壁を取り付けたりする際にも取り付けやすいものである。
【００３１】
すなわち、本発明は、天井板（２）の取り付け施工を簡単に行うことができるとともに、取り付け後の強度を充分に確保することができるものである。
【００３２】
また、上記天井板止め具（５）が、上記天井板取付バー（７）に対してスライド自在に取りつけられるものであると、このような天井板取付バー（７）に対してスライド自在に取りつけられる天井板止め具（５）にて現場での取り付け施工としては、確実に簡単なものとなり、非常に有用なものである。
【００３３】
さらに、図１、図４、図５、図７および図９に示すごとく、上記下部水平片（３１）が、上記下部係合部（５１）が嵌合しやすいように折り返されて２重に形成されているものであると、このような折り返されて２重に形成されている下部水平片（３１）にて下部係合部（５１）が同下部水平片（３１）に対してより一層確実に嵌合しやすいものとなる上に、天井板（２）を確実に安定させて載置させることができるものである。しかも、天井板（２）の荷重をより一層確実に分散させて受けやすいために、天井支持バー（３）としては、照明器具（６）側にたわみにくいものとなり、その結果、照明器具（６）側のスペースを常により一層確保することができるものとなる。
【００３４】
特に、上記天井板止め具（５）を上記天井支持バー（３）に対して平行移動させ、上記天井板取付バー（７）の部位で弾性変形させて、同天井板取付バー（７）に嵌合させてなっているものであると、このような天井支持バー（３）や天井板止め具（５）や天井板取付バー（７）の関係により、天井板止め具（５）を天井板取付バー（７）に嵌合させるのが非常に簡単なものとなり、その結果、現場での取り付け施工としては、確実に簡単なものとなり、非常に有用なものである。
【００３５】
そして、上記下部係合部（５１）を弾性変形させながら、同下部係合部（５１）が上記下部水平片（３１）に嵌合してなっているものであると、このように下部係合部（５１）を弾性変形させることで、図５の［１］ないし［３］、図６に示すごとく、下部係合部（５１）を下部水平片（３１）に対して嵌合させやすいものとなり、現場での取り付け施工としては、確実に簡単なものとなり、非常に有用なものである。
【００３６】
さらに、図５の［１］ないし［３］、図６に示すごとく、上記下部水平片（３１）と上記中央係合片（３４）との間で、上記天井板（２）が載置されている側とは反対側に空間部分（１２）を形成しているものであると、このような天井板（２）が載置されている側とは反対側に形成している空間部分（１２）により、天井支持バー（３）と天井板止め具（５）との間に取り付けの際の余裕ができて、中央係合片（３４）が上部係合部（５４）に引っ掛けやすくなるとともに、下部係合部（５１）を下部水平片（３１）に対して嵌合させやすいものとなり、結果として、現場での取り付け施工としては、確実に簡単なものとなり、非常に有用なものである。
【００３７】
なお、図１、図４ないし図７、図９に示すごとく、上記中央係合片（３４）が、折り返されて２重に形成されているものであると、このような折り返されて２重に形成されている中央係合片（３４）にて同中央係合片（３４）にかかる天井支持バー（３）としての荷重がより一層確実に分散されて、その結果、中央係合片（３４）が天井板止め具（５）の上部で突出する上部係合部（５４）に対してより一層安定して引っ掛かるものとなる。
【００３８】
そして、図１、図４ないし図７、図９に示すごとく、上記天井支持バー（３）の下端付近側面が、同天井支持バー（３）どうしの間に設けられる照明器具（６）の反射板の役割を果たす下部傾斜板（３２）であるものであると、このような天井支持バー（３）の下端付近側面に設けられた下部傾斜板（３２）の存在により、天井支持バー（３）どうしの間に設けられる照明器具（６）の反射板の役割を果たし、照明器具（６）の光を反射させて、配光を変えることができるとともに、建物の室内を確実に明るく照らし出すのに有用なものである。
【００３９】
さらに、図１、図４ないし図７、図９に示すごとく、上記中央係合片（３４）よりも上記天井支持バー（３）の下端部側に上記下部傾斜板（３２）があり、同中央係合片（３４）と同下部傾斜板（３２）との間に水平部（３３）を設けているものであると、このような中央係合片（３４）とこの中央係合片（３４）よりも天井支持バー（３）の下端部側にある下部傾斜板（３２）との間に設けられた水平部（３３）の存在により、照明器具（６）の一部を載置したりして、同照明器具（６）を取り付けることができるために、現場において同照明器具（６）の取り付け施工がより一層確実に行いやすいものとなる。
【００４０】
なお、図１および図２の（ａ）、（ｂ）、図５ないし図７に示すごとく、上記下部係合部（５１）の近傍に上記天井板止め具（５）の本体部分（５３）からアールをもって曲折しているアール部（５２）を設けているものであると、このような天井板止め具（５）の本体部分（５３）からアールをもって曲折しているアール部（５２）の存在により、取り付け施工の際などに、下部係合部（５１）を弾性変形させやすいものであり、その結果、下部係合部（５１）を下部水平片（３１）に対してより一層確実に嵌合させやすいものとなり、現場での取り付け施工としては、より一層確実に簡単なものとなり、非常に有用なものである。
【００４１】
具体的には、上記天井支持バー（３）に上記天井板止め具（５）を取り付ける際、図５の［１］に示すごとく、まず、同天井板止め具（５）の上部係合部（５４）を天井支持バー（３）の中央係合片（３４）の奥側に差し込んで、次いで、図５の［２］に示すごとく、天井板止め具（５）のアール部（５２）と上部係合部（５４）との中間部分を指で押しながら、天井板止め具（５）の下部係合部（５１）が、すでに載置された天井板（２）を乗り越えるようにさせるものである。このとき、天井板止め具（５）の上部係合部（５４）から下部係合部（５１）にかけて弾性変形しており、図５の［３］に示すごとく、天井板止め具（５）の下部係合部（５１）が天井板（２）を乗り越えると、同下部係合部（５１）は、天井支持バー（３）の下部水平片（３１）の位置に落ちて、下部係合部（５１）を下部水平片（３１）に対して嵌合させることができて、施工が完結するものである。
【００４２】
本発明の天井構造によると、図１ないし図９に示すごとく、建築躯体から吊り下げられたチャンネル（１）、このチャンネル（１）の下部で支持される天井板（２）、この天井板（２）を支持する天井支持バー（３）、同天井板（２）の長手方向の側面部に取り付けられる天井板取付バー（７）、および、この天井板取付バー（７）と同天井板（２）とを止める天井板止め具（５）を設けた天井構造において、上記天井支持バー（３）の下端部分を上記天井板（２）を直に載置する下部水平片（３１）となして、この下部水平片（３１）に上記天井板止め具（５）の下端部分で水平方向に設けた下部係合部（５１）が嵌合するとともに、同天井支持バー（３）の略中央部に中央係合片（３４）を設けて、この中央係合片（３４）が同天井板止め具（５）の上部で突出する上部係合部（５４）に引っ掛かってなるので、天井板（２）を支持する天井支持バー（３）の下端部分を同天井板（２）を直に載置する下部水平片（３１）となしていて、この下部水平片（３１）に天井板止め具（５）の下端部分で水平方向に設けた下部係合部（５１）が嵌合している点と天井支持バー（３）の略中央部に中央係合片（３４）を設けて、この中央係合片（３４）が同天井板止め具（５）の上部で突出する上部係合部（５４）に引っ掛かっている点との必要最小限の２点により、天井支持バー（３）と天井板止め具（５）とは互いに規制されて、ずれ動きがたいものとしており、しかも、天井支持バー（３）と天井板止め具（５）とはその他の箇所においては、互いに自由な状態であるので、天井板（２）の取り付けの際、現場での施工としては行いやすいものである。また、天井板（２）の取り付け後としても、天井板（２）の取り付け強度が充分に確保されており、同天井板（２）の取り付け後、天井板（２）とこの天井板（２）の長手方向の側面部に取り付けられる天井板取付バー（７）とは容易に浮き上がることはなくて、ずれが生じにくいものであり、天井支持バー（３）の変形の原因は排除されており、間仕切り壁を取り付けたりする際にも取り付けやすいものである。
【００４３】
すなわち、本発明は、天井板（２）の取り付け施工を簡単に行うことができるとともに、取り付け後の強度を充分に確保することができるものである。
【００４４】
【発明の効果】
本発明の請求項１に係る天井構造によると、天井板（２）を支持する天井支持バー（３）の下端部分を同天井板（２）を直に載置する下部水平片（３１）となしていて、この下部水平片（３１）に天井板止め具（５）の下端部分で水平方向に設けた下部係合部（５１）が嵌合している点と天井支持バー（３）の略中央部に中央係合片（３４）を設けて、この中央係合片（３４）が同天井板止め具（５）の上部で突出する上部係合部（５４）に引っ掛かっている点との必要最小限の２点により、天井支持バー（３）と天井板止め具（５）とは互いに規制されて、ずれ動きがたいものとしており、しかも、天井支持バー（３）と天井板止め具（５）とはその他の箇所においては、互いに自由な状態であるので、天井板（２）の取り付けの際、現場での施工としては行いやすいものである。また、天井板（２）の取り付け後としても、天井板（２）の取り付け強度が充分に確保されており、同天井板（２）の取り付け後、天井板（２）とこの天井板（２）の長手方向の側面部に取り付けられる天井板取付バー（７）とは容易に浮き上がることはなくて、ずれが生じにくいものであり、天井支持バー（３）の変形の原因は排除されており、間仕切り壁を取り付けたりする際にも取り付けやすいものである。
【００４５】
すなわち、本発明は、天井板（２）の取り付け施工を簡単に行うことができるとともに、取り付け後の強度を充分に確保することができるものである。
【００４６】
本発明の請求項２に係る天井構造によると、請求項１記載の場合に加えて、このような天井板取付バー（７）に対してスライド自在に取りつけられる天井板止め具（５）にて現場での取り付け施工としては、確実に簡単なものとなり、非常に有用なものである。
【００４７】
本発明の請求項３に係る天井構造によると、請求項１または請求項２記載の場合に加えて、このような折り返されて２重に形成されている下部水平片（３１）にて下部係合部（５１）が同下部水平片（３１）に対してより一層確実に嵌合しやすいものとなる上に、天井板（２）を確実に安定させて載置させることができるものである。しかも、天井板（２）の荷重をより一層確実に分散させて受けやすいために、天井支持バー（３）としては、照明器具（６）側にたわみにくいものとなり、その結果、照明器具（６）側のスペースを常により一層確保することができるものとなる。
【００４８】
本発明の請求項４に係る天井構造によると、請求項１ないし請求項３いずれか記載の場合に加えて、このような天井支持バー（３）や天井板止め具（５）や天井板取付バー（７）の関係により、天井板止め具（５）を天井板取付バー（７）に嵌合させるのが非常に簡単なものとなり、その結果、現場での取り付け施工としては、確実に簡単なものとなり、非常に有用なものである。
【００４９】
本発明の請求項５に係る天井構造によると、請求項１ないし請求項４いずれか記載の場合に加えて、このように下部係合部（５１）を弾性変形させることで、下部係合部（５１）を下部水平片（３１）に対して嵌合させやすいものとなり、現場での取り付け施工としては、確実に簡単なものとなり、非常に有用なものである。
【００５０】
本発明の請求項６に係る天井構造によると、請求項１ないし請求項５いずれか記載の場合に加えて、このような天井板（２）が載置されている側とは反対側に形成している空間部分（１２）により、天井支持バー（３）と天井板止め具（５）との間に取り付けの際の余裕ができて、中央係合片（３４）が上部係合部（５４）に引っ掛けやすくなるとともに、下部係合部（５１）を下部水平片（３１）に対して嵌合させやすいものとなり、結果として、現場での取り付け施工としては、確実に簡単なものとなり、非常に有用なものである。
【００５１】
本発明の請求項７に係る天井構造によると、請求項１ないし請求項６いずれか記載の場合に加えて、このような折り返されて２重に形成されている中央係合片（３４）にて同中央係合片（３４）にかかる天井支持バー（３）としての荷重がより一層確実に分散されて、その結果、中央係合片（３４）が天井板止め具（５）の上部で突出する上部係合部（５４）に対してより一層安定して引っ掛かるものとなる。
【００５２】
本発明の請求項８に係る天井構造によると、請求項１ないし請求項７いずれか記載の場合に加えて、このような天井支持バー（３）の下端付近側面に設けられた下部傾斜板（３２）の存在により、天井支持バー（３）どうしの間に設けられる照明器具（６）の反射板の役割を果たし、照明器具（６）の光を反射させて、配光を変えることができるとともに、建物の室内を確実に明るく照らし出すのに有用なものである。
【００５３】
本発明の請求項９に係る天井構造によると、請求項８記載の場合に加えて、このような中央係合片（３４）とこの中央係合片（３４）よりも天井支持バー（３）の下端部側にある下部傾斜板（３２）との間に設けられた水平部（３３）の存在により、照明器具（６）の一部を載置したりして、同照明器具（６）を取り付けることができるために、現場において同照明器具（６）の取り付け施工がより一層確実に行いやすいものとなる。
【００５４】
本発明の請求項１０に係る天井構造によると、請求項１ないし請求項９いずれか記載の場合に加えて、このような天井板止め具（５）の本体部分（５３）からアールをもって曲折しているアール部（５２）の存在により、取り付け施工の際などに、下部係合部（５１）を弾性変形させやすいものであり、その結果、下部係合部（５１）を下部水平片（３１）に対してより一層確実に嵌合させやすいものとなり、現場での取り付け施工としては、より一層確実に簡単なものとなり、非常に有用なものである。
【図面の簡単な説明】
【図１】本発明の一実施形態に係る天井構造を示した断面図である。
【図２】本発明の天井構造に用いられる一実施形態に係る天井板止め具を示した（ａ）正面図、（ｂ）側面図である。
【図３】本発明の天井構造に用いられる一実施形態に係る天井板と天井板取付バーとを組み合わせた際の様子を示した断面図である。
【図４】本発明の天井構造に用いられる一実施形態に係る天井支持バーを示した断面図である。
【図５】本発明の天井構造に用いられる一実施形態に係る天井板止め具の天井支持バーへの取り付けの手順を示した断面図である。
【図６】本発明の天井構造に用いられる一実施形態に係る天井板止め具を天井板取付バーに取り付ける際の様子を示した断面図である。
【図７】本発明の天井構造に用いられる一実施形態に係る天井板止め具を天井板取付バーに取り付けた後の様子を示した斜視図である。
【図８】（ａ）は、本発明の天井構造に用いられる他の一実施形態に係る天井板止め具を示した断面図であり、（ｂ）は、本発明の天井構造に用いられる他の一実施形態に係る天井板取付バーを示した斜視図である。
【図９】本発明の天井構造に用いられる他の一実施形態に係る天井板止め具と天井支持バーと天井板取付バーとを組み合わせた際の様子を示した断面図である。
【図１０】一従来例に係る天井構造を示した要部のみの断面図である。
【符号の説明】
１    チャンネル
２    天井板
３    天井支持バー
５    天井板止め具
６    照明器具
７    天井板取付バー
１２  空間部分
３１  下部水平片
３２  下部傾斜板
３３  水平部
３４  中央係合片
５１  下部係合部
５２  アール部
５３  本体部分
５４  上部係合部
【図１】
0004103328.tif 000002
【図２】
0004103328.tif 000003
【図３】
0004103328.tif 000004
【図４】
0004103328.tif 000005
【図５】
0004103328.tif 000006
【図６】
0004103328.tif 000007
【図７】
0004103328.tif 000008
【図８】
0004103328.tif 000009
【図９】
0004103328.tif 000010
【図１０】
0004103328.tif 000011